(57)【特許請求の範囲】
【請求項１】
電子製品の高温時又は低温時の特性検査をするハンドラの検査部と供給部とに、プラスイオンとマイナスイオンとを温風又は冷風と共に吹き出す送風除電装置であって、温風又は冷風を送られる金属製の送風ダクトの先端部に、前記検査部へ向けて送風する第１の吹出口と、前記供給部へ向けて送風する第２の吹出口とを設けるとともに、送風ダクト内に、第１の吹出口に至る第１の通路と前記第２の吹出口に至る第２の通路とを、金属製の仕切板及び案内板によって形成し、これら第１の通路と第２の通路のそれぞれについて、プラス電極とマイナス電極とを対向させた直流除電器をそれぞれ設置し、各直流除電器のプラス電極にプラス高電圧、マイナス電極にマイナス高電圧を印加してコロナ放電させ、発生したプラスイオンとマイナスイオンとを送風ダクト内で混合し、第１の吹出口から前記検査部へ向けて温風又は冷風と共にプラスイオンとマイナスイオンを吹き出すと同時に、第２の吹出口から前記供給部へ向けて温風又は冷風と共にプラスイオンとマイナスイオンを吹き出すことを特徴とする送風除電装置。
【発明の詳細な説明】
【０００１】
【発明の属する技術分野】
本発明は、温風又は冷風と共にプラス・マイナスのイオンを送って除電する送風除電装置に関する。
【０００２】
【従来の技術】
従来、例えばＩＣ回路やその周辺パーツ等の電子製品の高温時や低温時の特性検査をするハンドラでは、温風又は冷風にて高温環境又は低温環境にしてテストしているが、その際にテスト対象物である電子製品への静電気被害を防止するために、送風と同時に除電することが行われている。
【０００３】
その場合、従来では次の二つの方法が採られていた。
(1)  温風又は冷風を送風する送風手段とは全く別個に、テスト対象物の近くに除電器を設置し、送風手段から温風又は冷風を送風しながら、テスト対象物を近くから除電器で直接除電する方法。
【０００４】
(2)  送風機能を有する送風型除電器を、温風又は冷風を送風する送風手段とは別に設け、送風手段から温風又は冷風を送風しながら、送風型除電器からイオン風を送って間接的に除電する方法。
【０００５】
【発明が解決しようとする課題】
しかし、(1)の従来方法では、除電器自身から出す電界によってテスト対象物に障害を与えるとか、除電エリアを大きく確保できないとか、除電性能が悪いという問題があった。
【０００６】
また、(2)の従来方法では、送風型除電器からイオン風によりテスト環境の温度に影響を与える、という問題があった。
【０００７】
本発明の目的は、上記のようなハンドラのテスト対象物に電界の与えることなく、しかもテスト環境の温度にも影響を与えることなく、除電性能及びイオンバランス特性を向上させることができる送風除電装置を提供することにある。
【０００８】
【課題を解決するための手段】
本発明は、電子製品の高温時又は低温時の特性検査をするハンドラの検査部と供給部とに、プラスイオンとマイナスイオンとを温風又は冷風と共に吹き出す送風除電装置であって、温風又は冷風を送られる金属製の送風ダクトの先端部に、前記検査部へ向けて送風する第１の吹出口と、前記供給部へ向けて送風する第２の吹出口とを設けるとともに、送風ダクト内に、第１の吹出口に至る第１の通路と前記第２の吹出口に至る第２の通路とを、金属製の仕切板及び案内板によって形成し、これら第１の通路と第２の通路のそれぞれについて、プラス電極とマイナス電極とを対向させた直流除電器をそれぞれ設置し、各直流除電器のプラス電極にプラス高電圧、マイナス電極にマイナス高電圧を印加してコロナ放電させ、発生したプラスイオンとマイナスイオンとを送風ダクト内で混合し、第１の吹出口から前記検査部へ向けて温風又は冷風と共にプラスイオンとマイナスイオンを吹き出すと同時に、第２の吹出口から前記供給部へ向けて温風又は冷風と共にプラスイオンとマイナスイオンを吹き出すことを特徴とする。
【０００９】
【発明の実施の形態】
次に、本発明の実施の形態を図面に基づいて詳細に説明する。
【００１０】
図１に、本発明による送風除電装置の使用形態の概要を示す。同図において、温風又は冷風発生源１からの温風又は冷風は、送風ダクト２中を送られ、送風ダクト２の先端の吹出口３より高温環境テスト又は低温環境テストを行うテスト領域４に吹き出される。吹出口３よりも内方の送風ダクト２内には、直流除電器５が設置され、直流高圧電源６から高圧配線７を通じて直流除電器５のプラス電極にプラス高電圧、マイナス電極にマイナス高電圧を印加してコロナ放電させることにより、その放電により発生したプラスイオンとマイナスイオンとが、送風ダクト２内で混合されて温風又は冷風と共に吹出口３よりテスト領域４に吹き出され、テスト対象物が除電される。
【００１１】
図２に送風除電装置の具体例、特に、送風ダクト２の構造及びそれに対する直流除電器５の設置構造を具体的に示す。この例では、送風ダクト２内は仕切板８により第１と第２の２つの通路９・１０に分けられ、第１の通路９は、送風ダクト２の先端に直角に接続された第１の吹出口体１１の吹出口１１ａへと開口し、第２の通路１０は、送風ダクト２の先端に直結された第２の吹出口体１２の吹出口１２ａへと開口している。
【００１２】
これら第１・第２の吹出口１１ａ・１２ａの吹出方向は、いずれも通路９・１０に対して直角で互いに平行であるが、第１の吹出口体１１は、第２の吹出口体１２よりも前方に突出して両者の吹出口１１ａ・１２ａは前後にずれている。また、第１の通路９を通ってきた温風又は冷風を第１の吹出口１１ａへ、第２の通路１０を通ってきた温風又は冷風を第２の吹出口１２ａへそれぞれスムーズに誘導するため、第１の通路９から第１の吹出口体１１内に至る間、及び第２の通路１０から第２の吹出口体１２内に至る間にそれぞれ傾斜した案内板１３・１４が設けられている。さらに、第２の吹出口体１２内には、吹出口１２ａからの吹出方向を左右に調整する方向調整板１５が装着されている。
【００１３】
本例では、２つの吹出口１１ａ・１２ａが上記のように設けられているが、これは、電子製品の特性検査をするハンドラにおいて、検査部と供給部とを同時に除電するためである。
【００１４】
送風ダクト２、仕切板８、第１・第２の吹出口体１１・１２、案内板１３・１４、方向調整板１５は、帯電しないように、いずれもステンレス等の金属製である。
【００１５】
送風ダクト２の第１と第２の通路９・１０を通ってきた温風又は冷風は、上記のように第１及び第２の吹出口１１ａ・１２ａより分けて吹き出されるが、その吹き出し以前にプラス・マイナスのイオンを温風又は冷風の中に混入させるため、直流除電器５が第１と第２の通路９・１０のそれぞれについて次のように設置されている。
【００１６】
先ず、第１の通路９側の直流除電器５は、送風ダクト２の胴部に設けられた点検窓１６を閉じる蓋板１７に固定して、第１の通路９内に設置されている。その設置位置は第１の吹出口体１１に入る直前となっている。蓋板１７は送風ダクト２の胴部の外面にねじ止めされており、この蓋板１７を送風ダクト２から取り外すことにより、これと共に直流除電器５を送風ダクト２外へ取り出すことができるようになっている。また、第２の通路１０側の直流除電器５は、第２の吹出口体１２の内壁に固定され、その設置位置は第２の通路１０から出た直後となっている。
【００１７】
図３〜図５に直流除電器５の一例を示す。この直流除電器５は、針状のプラス電極１８とマイナス電極１９とを、電気絶縁性の電極ホルダ２０の上面と下面のそれぞれに一対ずつ植設したもので、上面と下面のそれぞれにおいて、プラス電極１８とマイナス電極１９とは一定の間隔を保持して対向している。これら両極の電極１８・１９には、高圧ケーブル２１・２２を通じて直流のプラス高電圧とマイナス高電圧がそれぞれ印加され、両極の電極１８・１９間でのコロナ放電によりプラス・マイナスのイオンが発生する。直流除電器５は、両極の電極１８・１９の対向する向きが送風ダクト２内における送風方向とは直交する方向となるように、上記の如く設置されている。
【００１８】
このように送風方向とは直交する方向に対向しているプラス・マイナスの電極１８・１９間の放電により生じたプラス・マイナスのイオンは、第１の通路９では、その中を通ってきた温風又は冷風に第１の吹出口体１１内に入る直前で混入し、第１の吹出口１１ａから吹き出される前に第１の吹出口体１１内でプラスイオンとマイナスイオンとが混合され、第１の吹出口１１ａから温風又は冷風と共に吹き出されるときには、プラス・マイナスのイオンバランスがとれた状態となる。また、第２の通路１０では、その中を通ってきた温風又は冷風に第２の吹出口体１２内に入った直後で混入し、第２の吹出口１２ａから吹き出される前に第２の吹出口体１２内でプラスイオンとマイナスイオンとが混合され、第２の吹出口１２ａから温風又は冷風と共に吹き出されるときには、同様にプラス・マイナスのイオンバランスがとれた状態となる。
【００１９】
従って、この送風除電装置を電子製品の特性検査をするハンドラに適用し、第１及び第２の吹出口１１ａ・１２ａよりの温風又は冷風を、検査部と供給部のそれぞれに吹き出す場合、イオンバランスがとれたプラス・マイナスのイオンを温風又は冷風と共に各部品に当てることができる。直流除電器５は、吹出口１１ａ・１２ａより内方の送風ダクト２内又は吹出口体１２内に設置されているので、テスト対象の部品に対し電界の影響を与えることはなく、また直流除電器５自体は送風作用がないので、テスト環境の温度に影響を与えることもない。
【００２０】
【発明の効果】
以上説明したように本発明によれば、電子製品の高温時又は低温時の特性検査をするハンドラの検査部と供給部のそれぞれにおいて、イオンバランスがとれたプラス・マイナスのイオンを温風又は冷風と共に各部品に当てることができるので、テスト対象物に電界の与えることなく、しかもテスト環境の温度にも影響を与えることなく、除電性能及びイオンバランス特性を向上させることができる。また、送風ダクトばかりでなく、その内部に第１の通路と第２の通路を形成する仕切板及び案内板も金属製としたので、送風ダクト内での帯電を防止できる。
【図面の簡単な説明】
【図１】  本発明による送風除電装置の使用形態の概要図である。
【図２】  送風ダクトの構造及びそれに対する直流除電器の設置構造を具体的に示す平面図である。
【図３】  直流除電器の正面図である。
【図４】  同上の平面図である。
【図５】  同じく側面図である。
【符号の説明】
１  温風又は冷風発生源
２  送風ダクト
３  吹出口
４  テスト領域
５  直流除電器
６  直流高圧電源
７  高圧配線
８  仕切板
９・１０  通路
１１  吹出口体
１１ａ  吹出口
１２  吹出口体
１２ａ  吹出口
１３・１４  案内板
１５  方向調整板
１６  点検窓
１７  蓋板
１８  プラス電極
１９  マイナス電極
２０  電極ホルダ
【図１】
0003721512.tif 000002
【図２】
0003721512.tif 000003
【図３】
0003721512.tif 000004
【図４】
0003721512.tif 000005
【図５】
0003721512.tif 000006